(57)【要約】【課題】吸収性本体が肌側に凸変形してしまうこと抑制する。【解決手段】吸収性本体（１０）と一対の防漏壁部（４０）とを有する吸収性物品（１）であって、展開した状態において、互いに交差する前後方向と左右方向とを有し、吸収性本体（１０）の前後方向における前側端部には、前側固定部（５１）が設けられ、後側端部には、後側固定部（５２）が設けられ、前側固定部（５１）と後側固定部（５２）との間に、中間固定部（５３）が設けられており、中間固定部（５３）は、左右方向の一方側に配置された第１中間固定部（５３１）と、左右方向の他方側に配置された第２中間固定部（５３２）とを有し、前後方向において、第１中間固定部（５３１）の前側端（５３１ｆ）の位置と、第２中間固定部（５３２）の前側端の位置（５３２ｆ）とがずれている。【選択図】図４
2020000655.tif 000002
【特許請求の範囲】
【請求項１】
吸収性コアと、前記吸収性コアよりも肌側に配置された肌側シートと、を備えた吸収性本体と、
伸縮する伸縮部材を備えた一対の防漏壁部と、
を有する吸収性物品であって、
前記吸収性物品を展開した状態において、
前記吸収性本体は、互いに交差する前後方向と左右方向とを有し、
前記一対の防漏壁部は、前記吸収性本体の前記左右方向の両側に設けられており、
前記吸収性本体の前記前後方向における前側端部には、前記防漏壁部を起立不能に固定する前側固定部が設けられ、
前記吸収性本体の前記前後方向における後側端部には、前記防漏壁部を起立不能に固定する後側固定部が設けられ、
前記前後方向において、前記前側固定部と前記後側固定部との間に、前記防漏壁部を前記肌側シートに固定する中間固定部が設けられており、
前記前後方向において、前記中間固定部は、前記前側固定部及び前記後側固定部と、間隔を空けた位置に設けられており、
前記中間固定部は、前記左右方向の一方側に配置された第１中間固定部と、前記左右方向の他方側に配置された第２中間固定部とを有し、
前記前後方向において、前記第１中間固定部の前側端の位置と、前記第２中間固定部の前側端の位置とがずれている、ことを特徴とする吸収性物品。
【請求項２】
請求項１に記載の吸収性物品であって、
前記前後方向において、前記第１中間固定部の後側端の位置と、前記第２中間固定部の後側端の位置とがずれている、ことを特徴とする吸収性物品。
【請求項３】
請求項１または２に記載の吸収性物品であって、
前記第１中間固定部の前記前後方向における長さと、前記第２中間固定部の前記前後方向における長さとが異なる、ことを特徴とする吸収性物品。
【請求項４】
請求項１〜３のいずれか１項に記載の吸収性物品であって、
前記前後方向において、前記第１中間固定部の前記前側端と前記第２中間固定部の前記前側端との間の距離は、
前記第１中間固定部の前記前後方向における長さ及び前記第２中間固定部の前記前後方向における長さよりも短い、ことを特徴とする吸収性物品。
【請求項５】
請求項１〜４のいずれか１項に記載の吸収性物品であって、
前記前後方向において、前記第１中間固定部の前記後側端と前記第２中間固定部の前記後側端との間の距離は、
前記第１中間固定部の前記前後方向における長さ及び前記第２中間固定部の前記前後方向における長さよりも短い、ことを特徴とする吸収性物品。
【請求項６】
請求項１〜５のいずれか１項に記載の吸収性物品であって、
前記吸収性コアは、前記前後方向の中央部において、端部に比べて前記左右方向の幅が狭いくびれ部を有し、
前記前後方向において、前記第１中間固定部の前記前側端及び前記第２中間固定部の前記前側端と、前記くびれ部とが重複している、ことを特徴とする吸収性物品。
【請求項７】
請求項６に記載の吸収性物品であって、
前記前後方向において、前記第１中間固定部の前記後側端及び前記第２中間固定部の前記後側端と、前記くびれ部とが重複している、ことを特徴とする吸収性物品。
【請求項８】
請求項６または７に記載の吸収性物品であって、
前記吸収性コアは、前記くびれ部のうち前記左右方向の幅が最も狭い最狭部を有し、
前記前後方向において、前記第１中間固定部及び前記第２中間固定部が、前記最狭部と重複している、ことを特徴とする吸収性物品。
【請求項９】
請求項１〜８のいずれか１項に記載の吸収性物品であって、
厚さ方向において、前記中間固定部は、前記防漏壁部に設けられた前記伸縮部材のうち少なくとも一部と重複している、ことを特徴とする吸収性物品。
【請求項１０】
請求項１〜９のいずれか１項に記載の吸収性物品であって、
前記前後方向において、前記中間固定部は、前記吸収性本体の中央よりも前側に位置している、ことを特徴とする吸収性物品。
【請求項１１】
請求項１〜１０のいずれか１項に記載の吸収性物品であって、
前記左右方向において、前記中間固定部の外側端と前記防漏壁部の外側端との間には所定の隙間が設けられている、ことを特徴とする吸収性物品。
【請求項１２】
請求項１〜１１のいずれか１項に記載の吸収性物品であって、
前記左右方向において、前記中間固定部の内側端と前記防漏壁部の内側端との間には所定の隙間が設けられている、ことを特徴とする吸収性物品。
【発明の詳細な説明】
【技術分野】
【０００１】
本発明は、吸収性物品に関する。
【背景技術】
【０００２】
パンツ型吸収性物品として、パンツ型使い捨ておむつが知られている。特許文献１には、外側シート部材と、外側シート部材の肌面側に接合される吸収性本体と、吸収性本体の幅方向両側端部それぞれから延びるサイドシートを備えたパンツ型使い捨ておむつが開示されている。特許文献１のおむつでは、吸収性本体の長手方向における、サイドシートのほぼ全長にわたって、起立用弾性部材（３８，３９）が伸長した状態で取り付けられている。そして、起立用弾性部材の収縮によってサイドシートが着用者の肌側に立ち上がり、所謂防漏壁として機能する。
【先行技術文献】
【特許文献】
【０００３】
【特許文献１】特開２０１０−９４３３４号
【発明の概要】
【発明が解決しようとする課題】
【０００４】
特許文献１のおむつでは、サイドシート（防漏壁）の長手方向の中途部分において、吸収性本体のトップシートにサイドシートを固定する固定部（接合部位４１ｃ）が設けられている。当該固定部が設けられている部分では、起立用弾性部材が発現する収縮力によって吸収性本体が肌側に引き上げられることにより、吸収性本体が変形しやすくなる。特に、左右方向の両側に設けられた一対の固定部（接合部位４１ｃ）が、吸収性本体の長手方向において同じ位置に設けられている場合、該固定部間で左右方向に沿った折れ曲がり誘導線が形成され、該折れ曲がり誘導線に沿って吸収性本体が肌側に凸形状に変形しやすくなる。この場合、吸収性本体と着用者の肌との間に隙間が生じ、おむつのフィットや吸収性が悪化するおそれがある。
【０００５】
本発明は、上記のような従来の問題に鑑みてなされたものであって、その目的は、吸収性本体が肌側に凸変形してしまうこと抑制することにある。
【課題を解決するための手段】
【０００６】
上記目的を達成するための主たる発明は、吸収性コアと、前記吸収性コアよりも肌側に配置された肌側シートと、を備えた吸収性本体と、伸縮する伸縮部材を備えた一対の防漏壁部と、を有する吸収性物品であって、前記吸収性物品を展開した状態において、前記吸収性本体は、互いに交差する前後方向と左右方向とを有し、前記一対の防漏壁部は、前記吸収性本体の前記左右方向の両側に設けられており、前記吸収性本体の前記前後方向における前側端部には、前記防漏壁部を起立不能に固定する前側固定部が設けられ、前記吸収性本体の前記前後方向における後側端部には、前記防漏壁部を起立不能に固定する後側固定部が設けられ、前記前後方向において、前記前側固定部と前記後側固定部との間に、前記防漏壁部を前記肌側シートに固定する中間固定部が設けられており、前記前後方向において、前記中間固定部は、前記前側固定部及び前記後側固定部と、間隔を空けた位置に設けられており、前記中間固定部は、前記左右方向の一方側に配置された第１中間固定部と、前記左右方向の他方側に配置された第２中間固定部とを有し、前記前後方向において、前記第１中間固定部の前側端の位置と、前記第２中間固定部の前側端の位置とがずれている、ことを特徴とする吸収性物品である。
本発明の他の特徴については、本明細書及び添付図面の記載により明らかにする。
【発明の効果】
【０００７】
本発明によれば、吸収性本体が肌側に凸変形してしまうこと抑制することができる。
【図面の簡単な説明】
【０００８】
【図１】おむつ１の概略正面図である。
【図２】展開かつ伸長状態のおむつ１の概略平面図である。
【図３】図２のＩＩ線での概略断面図である。
【図４】中間固定部５３の配置について説明する拡大平面図である。
【図５】比較例のおむつ２における中間固定部５３の配置について説明する拡大平面図である。
【図６】パンツ型状態のおむつ２を前後方向に切った概略断面図である。
【発明を実施するための形態】
【０００９】
本明細書及び添付図面の記載により、少なくとも以下の事項が明らかとなる。
吸収性コアと、前記吸収性コアよりも肌側に配置された肌側シートと、を備えた吸収性本体と、伸縮する伸縮部材を備えた一対の防漏壁部と、を有する吸収性物品であって、前記吸収性物品を展開した状態において、前記吸収性本体は、互いに交差する前後方向と左右方向とを有し、前記一対の防漏壁部は、前記吸収性本体の前記左右方向の両側に設けられており、前記吸収性本体の前記前後方向における前側端部には、前記防漏壁部を起立不能に固定する前側固定部が設けられ、前記吸収性本体の前記前後方向における後側端部には、前記防漏壁部を起立不能に固定する後側固定部が設けられ、前記前後方向において、前記前側固定部と前記後側固定部との間に、前記防漏壁部を前記肌側シートに固定する中間固定部が設けられており、前記前後方向において、前記中間固定部は、前記前側固定部及び前記後側固定部と、間隔を空けた位置に設けられており、前記中間固定部は、前記左右方向の一方側に配置された第１中間固定部と、前記左右方向の他方側に配置された第２中間固定部とを有し、前記前後方向において、前記第１中間固定部の前側端の位置と、前記第２中間固定部の前側端の位置とがずれている、ことを特徴とする吸収性物品。
【００１０】
このような吸収性物品によれば、第１中間固定部及び第２中間固定部の前側端において、吸収性本体を前後方向に折り曲げる起点となる折れ曲がり誘導線が形成され難く、吸収性本体が肌側に凸変形することを抑制できる。これにより、吸収性物品の着用時において、股間部における吸収性本体のフィット性が悪化したり、着用者に不快感を与えたりすることを抑制できる。
【００１１】
かかる吸収性物品であって、前記前後方向において、前記第１中間固定部の後側端の位置と、前記第２中間固定部の後側端の位置とがずれている、ことが望ましい。
【００１２】
このような吸収性物品によれば、第１中間固定部及び第２中間固定部の後側端において、吸収性本体を前後方向に折り曲げる起点となる折れ曲がり誘導線が形成され難く、吸収性本体が肌側に凸変形することを抑制できる。これにより、吸収性物品の着用時において、股間部における吸収性本体のフィット性が悪化したり、着用者に不快感を与えたりすることを抑制できる。
【００１３】
かかる吸収性物品であって、前記第１中間固定部の前記前後方向における長さと、前記第２中間固定部の前記前後方向における長さとが異なる、ことが望ましい。
【００１４】
このような吸収性物品によれば、第１中間固定部と第２中間固定部とで、前側端同士を結んだ直線と、後側端同士を結んだ直線とが、互いに平行にならない。したがって、中間固定部の上端部と下端部とで、吸収性本体を折り曲げようとする力が異なる方向に作用しやすくなり、吸収性本体が肌側へ凸変形することをより抑制しやすくなる。
【００１５】
かかる吸収性物品であって、前記前後方向において、前記第１中間固定部の前記前側端と前記第２中間固定部の前記前側端との間の距離は、前記第１中間固定部の前記前後方向における長さ及び前記第２中間固定部の前記前後方向における長さよりも短い、ことが望ましい。
【００１６】
このような吸収性物品によれば、第１中間固定部と第２中間固定部とが、前後方向において重複する部分を有しつつ、前側端において、吸収性本体を折り曲げる起点となる折れ曲がり誘導線が形成され難くなる。これにより、防漏壁部の起立可能高さが左右で揃いやすくなり、かつ、吸収性本体の凸変形を抑制できる。したがって、着用時において、フィット性が大きく悪化したり排泄物の横漏れが生じたりすることを抑制しやすくなる。
【００１７】
かかる吸収性物品であって、前記前後方向において、前記第１中間固定部の前記後側端と前記第２中間固定部の前記後側端との間の距離は、前記第１中間固定部の前記前後方向における長さ及び前記第２中間固定部の前記前後方向における長さよりも短い、ことが望ましい。
【００１８】
このような吸収性物品によれば、第１中間固定部と第２中間固定部とが、前後方向において重複する部分を有しつつ、後側端において、吸収性本体を折り曲げる起点となる折れ曲がり誘導線が形成され難くなる。これにより、防漏壁部の起立可能高さが左右で揃いやすくなり、かつ、吸収性本体の凸変形を抑制できる。したがって、着用時において、フィット性が大きく悪化したり排泄物の横漏れが生じたりすることを抑制しやすくなる。
【００１９】
かかる吸収性物品であって、前記吸収性コアは、前記前後方向の中央部において、端部に比べて前記左右方向の幅が狭いくびれ部を有し、前記前後方向において、前記第１中間固定部の前記前側端及び前記第２中間固定部の前記前側端と、前記くびれ部とが重複している、ことが望ましい。
【００２０】
このような吸収性物品によれば、第１中間固定部及び第２中間固定部の前側端の位置において、吸収性コアの左右方向の幅が狭く剛性が低くなっていたとしても、当該前側端の位置で吸収性コアが局所的に折れ曲がり変形を生じることを抑制しやすくなる。これにより、股間部における良好なフィット性を実現できる。
【００２１】
かかる吸収性物品であって、前記前後方向において、前記第１中間固定部の前記後側端及び前記第２中間固定部の前記後側端と、前記くびれ部とが重複している、ことが望ましい。
【００２２】
このような吸収性物品によれば、第１中間固定部及び第２中間固定部の後側端の位置において、吸収性コアの左右方向の幅が狭く剛性が低くなっていたとしても、当該後側端の位置で吸収性コアが局所的に折れ曲がり変形を生じることを抑制しやすくなる。これにより、股間部におけるより良好なフィット性を実現できる。
【００２３】
かかる吸収性物品であって、前記吸収性コアは、前記くびれ部のうち前記左右方向の幅が最も狭い最狭部を有し、前記前後方向において、前記第１中間固定部及び前記第２中間固定部が、前記最狭部と重複している、ことが望ましい。
【００２４】
このような吸収性物品によれば、第１中間固定部と第２中間固定部とが前後方向においてずれて配置されているため、剛性が低い最狭部であっても吸収性コアの局所的な折れ曲がり変形が生じ難い。したがって、吸収性コアを着用者の股間部に沿ってしっかりとフィットさせつつ、肌側に凸変形することを抑制することができる。
【００２５】
かかる吸収性物品であって、厚さ方向において、前記中間固定部は、前記防漏壁部に設けられた前記伸縮部材のうち少なくとも一部と重複している、ことが望ましい。
【００２６】
このような吸収性物品によれば、防漏壁部に設けられた伸縮部材による伸縮力が中間固定部を介して吸収性本体に作用しやすくなり、該中間固定部が配置されている領域において、吸収性本体が着用者の肌側に引き上げられやすくなる。これにより、着用者の股間部において、吸収性本体のフィット性をより向上させることができる。
【００２７】
かかる吸収性物品であって、前記前後方向において、前記中間固定部は、前記吸収性本体の中央よりも前側に位置している、ことが望ましい。
【００２８】
このような吸収性物品によれば、中間固定部によって防漏壁部の起立可能高さを制限することで、腹側（前側）において、吸収性本体を着用者の肌に平面的にフィットさせやすくすることができる。また、吸収性本体と着用者の排泄口との距離が近くなるため、尿等の排泄物を吸収させやすくすることができる。
【００２９】
かかる吸収性物品であって、前記左右方向において、前記中間固定部の外側端と前記防漏壁部の外側端との間には所定の隙間が設けられている、ことが望ましい。
【００３０】
このような吸収性物品によれば、防漏壁部の左右方向外側端部（エッジ部）に空間が形成されることにより、当該エッジ部の硬さが軽減され、吸収性物品の着用時において、着用者の身体（鼠径部）への肌当たりが柔らかくなる。したがって、より良好なフィット性を実現することができる。
【００３１】
かかる吸収性物品であって、前記左右方向において、前記中間固定部の内側端と前記防漏壁部の内側端との間には所定の隙間が設けられている、ことが望ましい。
【００３２】
このような吸収性物品によれば、左右方向において中間固定部の全領域が防漏壁部によって覆われ、中間固定部を形成する接着剤が外部に露出し難くなる。したがって、吸収性物品の着用時において、露出した接着剤が着用者の身体や衣服に付着してしまうことを抑制することができる。
【００３３】
＝＝＝実施形態＝＝＝
以下、本発明に係る吸収性物品として、大人用のパンツ型使い捨ておむつ（以下、「おむつ１」とも呼ぶ）を例に挙げて実施形態を説明する。ただし、本発明に係る吸収性物品は、乳幼児用の使い捨ておむつや、生理用ショーツ等としても利用可能である。
【００３４】
＜おむつ１の構成＞
図１は、おむつ１の概略正面図である。図２は、展開かつ伸長状態のおむつ１の概略平面図である。図３は、図２のＩＩ線での概略断面図である。なお、おむつ１の「伸長状態」とは、おむつ１全体（製品全体）を皺なく伸長させた状態、具体的には、おむつ１を構成する各部材（例えば、後述する吸収性本体１０や，胴回り部２０，３０等）の寸法がその部材単体の寸法と一致又はそれに近い寸法になるまで伸長させた状態のことを言う。
【００３５】
おむつ１は、図１に示されるパンツ型状態において、互いに交差する上下方向と左右方向と前後方向とを有し、胴回り開口部ＢＨと一対の脚回り開口部ＬＨとを有している。上下方向の上側が胴回り開口部ＢＨ側に対応し、下側が股下側に対応する。また、前後方向の前側が着用者の腹側に対応し、後側が着用者の背側に対応する。また、図２の展開状態においては、おむつ１は、互いに交差する前後方向と左右方向とを有する。前後方向は、吸収性本体１０の長手方向に相当する。また、図３に示すように、おむつ１を構成する資材が積層された方向を厚さ方向という。厚さ方向において着用者に接する側を肌側とし、その反対側を非肌側とする。
【００３６】
おむつ１は、吸収性本体１０と、腹側胴回り部２０と、背側胴回り部３０とを有する。パンツ型状態のおむつ１において、吸収性本体１０（後述の吸収性コア１１）は上下方向に沿って配置されており、上下方向の下端部にて前後に折り曲げられている。そして、前後方向の前側の吸収性本体１０の上端部に、非肌側から腹側胴回り部２０が接合され、前後方向の後側の吸収性本体１０の上端部に、非肌側から背側胴回り部３０が接合されている。
【００３７】
図２の展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向の一方側（前後方向の前側）の端部が配置され、左右方向における背側胴回り部３０の中央部に、吸収性本体１０の長手方向の他方側（前後方向の後側）の端部が配置されている。図２の展開状態から、吸収性本体１０が前後方向（長手方向）の略中央で二つ折りされ、左右方向における腹側胴回り部２０の両側部と、左右方向における背側胴回り部３０の両側部とが、溶着等で接合されることにより、パンツ型状態のおむつ１となる。
【００３８】
吸収性本体１０は、排泄液を吸収する吸収性コア１１と、吸収性コア１１よりも着用者の肌側に配置された親水性の肌側シート１２と、吸収性コア１１よりも非肌側に配置された液不透過性の非肌側シート１３と、シート部材１４とを有する。肌側シート１２は、吸収性コア１１を巻き込むように、左右方向の両側部が非肌側に折り返されている。シート部材１４は、非肌側シート１３よりも非肌側に配置されるとともに、肌側シート１２よりも肌側において防漏壁部４０を形成している。
【００３９】
吸収性コア１１は、高吸収性ポリマー（所謂ＳＡＰ）を含むパルプ繊維等の液体吸収性繊維を所定形状に成形したものである。また、吸収性コア１１は、液透過性のコアラップシート１５で被覆されていてもよい。
【００４０】
また、本実施形態の吸収性コア１１は、前後方向の中央部において、前側端部及び後側端部と比較して左右方向における長さが短くなった（幅が狭くなった）くびれ部１１Ｃを有しており、図２に示されるように平面視略砂時計型の形状となっている。このくびれ部１１Ｃは、おむつ１の着用時において着用者の両脚の間に挟まれる部分であり、当該部分の左右方向における長さが短く（幅が狭く）なっていることにより、吸収性コア１１が着用者の股間にフィットしやすくなる。
【００４１】
腹側胴回り部２０及び背側胴回り部３０は、それぞれ、内層シート２１，３１と、内層シート２１，３１よりも非肌側に配置された外層シート２２，３２と、胴回り弾性部材２３，３３とを有する。胴回り弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は、着用者の胴回りにフィットする。また、吸収性本体１０の上端部を肌側から覆うカバーシート（不図示）が設けられていても良い。
【００４２】
図２の展開かつ伸長状態において、腹側胴回り部２０は平面視矩形状である。背側胴回り部３０は、前後方向において腹側胴回り部２０と重複する重複部３０Ａと、腹側胴回り部２０よりも下側に延出する延出部３０Ｂとを有する。重複部３０Ａは平面視矩形状であり、延出部３０Ｂは平面視逆台形状である。延出部３０Ｂによって着用者の臀部を被覆できる。一方、腹側胴回り部２０は、背側胴回り部３０に比べて上下方向の長さが短く、股下側まで延びていない。そのため、歩行時等に腹側に引き上げられる脚の動きが阻害されず、歩行しやすい。
【００４３】
また、背側胴回り部３０の延出部３０Ｂには、その下端に沿って延出部弾性部材３５が設けられている。延出部弾性部材３５は、具体的には、下側に向かって左右方向の内側に傾いて配置された一対の傾斜部３５１と、一対の傾斜部３５１の間において左右方向に沿って配置された直線部３５２とを有する。延出部弾性部材３５は、胴回り弾性部材３３と同様に、内層シート３１と外層シート３２の間において伸長状態で固定されている。延出部弾性部材３５によって、延出部３０Ｂは着用者の臀部にフィットし、延出部３０Ｂのめくれを抑えられる。
【００４４】
ただし、上記に限らない。例えば、腹側胴回り部２０が、背側胴回り部３０と同じ平面形状であり、背側胴回り部３０の延出部弾性部材３５と同様の弾性部材を備えていてもよい。すなわち、腹側胴回り部２０が、下端部において、下側に向かって左右方向の内側に傾く傾斜弾性部材を備えていてもよい。また、逆に、背側胴回り部３０が、腹側胴回り部２０と同じ平面視矩形状であり、延出部弾性部材３５を備えていなくてもよい。
【００４５】
吸収性本体１０の左右方向の両側部には、前後方向（吸収性本体１０の長手方向）に沿って一対の防漏壁部４０が設けられている。本実施形態において、一対の防漏壁部４０は、それぞれ、吸収性本体１０の外装を構成するシート部材１４が、図３のように複数個所にて折り曲げられることによって形成されている。具体的には、図３の折り曲げ位置ｆ１にて折り曲げられ、２層に重ねられたシート部材１４が、折り曲げ位置ｆ２及び折り曲げ位置ｆ３にてさらに折り曲げられている。これにより、断面略Ｓ字状に折り曲げられた防漏壁部４０が形成される。
【００４６】
この防漏壁部４０のうち、折り曲げ線ｆ１とｆ２の間の部位を「肌側部４２」とし、肌側部４２よりも非肌側に配置され、折り曲げ線ｆ２とｆ３の間の部位を「非肌側部４３」とする。肌側部４２は非肌側部４３に対して左右方向の外側に折り曲げられた部位である。
【００４７】
そして、防漏壁部４０において、積層された２枚のシート部材１４，１４の間には、所定の伸縮部材が吸収性本体１０の前後方向（おむつ１の上下方向に相当）に伸長した状態で固定されている。本実施形態では、伸縮部材として、糸ゴム等の複数の防漏壁伸縮部材４１が左右方向に並んで複数配置されている。おむつ１の着用時には、防漏壁伸縮部材４１（伸縮部材）が発現する伸縮性に基づいて、防漏壁部４０が吸収性本体１０の前後方向に沿って収縮するとともに着用者の肌側に起立し、着用者の股間部にフィットする。
【００４８】
なお、防漏壁部４０は、吸収性本体１０の前後方向における前側端部に設けられた前側固定部５１によって、該前側端部においては起立不能に固定されている。同様に、防漏壁部４０は、吸収性本体１０の前後方向における後側端部に設けられた後側固定部５２によって、該後側端部においては起立不能に固定されている（図２参照）。
【００４９】
したがって、防漏壁部４０は、吸収性本体１０の前後方向において、前側固定部５１と後側固定部５２の間の領域で着用者の肌側に起立可能となる。また、例えば着用者が寝姿勢である場合に、防漏壁部４０で堰き止めた排泄液が前後に流れたとしても、前側固定部５１及び後側固定部５２によって排泄液を堰き止めることができ、前漏れや後ろ漏れを抑制できる。
【００５０】
また、吸収性本体１０の前後方向において、前側固定部５１と後側固定部５２との間には、防漏壁部４０を吸収性本体１０の肌側シート１２に固定する中間固定部５３が設けられている。本実施形態の中間固定部５３は、図２のように、前側固定部５１及び後側固定部５２と前後方向に間隔を空けて設けられている。つまり、吸収性本体１０には、おむつ１を展開かつ伸長した状態において、前側固定部５１、中間固定部５３、及び、後側固定部５２が、前後方向に間欠的に配置されている。なお、前側固定部５１、後側固定部５２及び中間固定部５３は、いずれもホットメルト接着剤等の接着剤によって形成されている。
【００５１】
前後方向において、中間固定部５３が設けられている部分では、防漏壁部４０の非肌側部４３が肌側シート１２に固定されているため（図３参照）、肌側部４２のみが肌側に起立可能となる。すなわち、中間固定部５３が設けられている部分では、防漏壁部４０の起立可能な高さが制限され、おむつ１着用時において吸収性本体１０と着用者の肌との間の間隔を狭くすることができる。したがって、中間固定部５３の配置や大きさを適当に調整することにより、おむつ１の脚回りにおけるフィット性や、排泄物の吸収性能を変更することができる。
【００５２】
＜中間固定部５３の配置について＞
図４は、中間固定部５３の配置について説明する拡大平面図である。同図４では、図２と同様に吸収性本体１０を展開かつ伸長させた状態について表している。また、吸収性本体１０の左右に設けられた一対の中間固定部５３，５３のうち、左右方向の一方側（図４において左側）に配置されているものを第１中間固定部５３１とし、左右方向の他方側（図４において右側）に配置されているものを第２中間固定部５３２とする。
【００５３】
おむつ１では、前後方向において、第１中間固定部５３１の前側端５３１ｆの位置と、第２中間固定部５３２の前側端５３２ｆの位置とがずれている。すなわち、前側端５３１ｆと前側端５３２ｆとが左右方向において同一直線状に並んでいない。同様に、前後方向において、第１中間固定部５３１の後側端５３１ｂの位置と、第２中間固定部５３２の後側端５３２ｂの位置とがずれている。このような構成により、中間固定部５３が設けられている領域において吸収性本体１０が折れ曲がってしまうことを抑制することができる。
【００５４】
吸収性本体１０の折れ曲がりについて、比較例としておむつ２を挙げながら説明する。図５は、比較例のおむつ２における中間固定部５３の配置について説明する拡大平面図である。図６は、パンツ型状態のおむつ２を前後方向に切った概略断面図である。比較例のおむつ２では、第１中間固定部５３１と第２中間固定部５３２とが左右対称に設けられている。つまり、第１中間固定部５３１と第２中間固定部５３２とが同一の形状（大きさ）を有し、かつ、前後方向において同じ位置に配置されている。したがって、図５に示されるように、前側端５３１ｆと前側端５３２ｆ、及び、後側端５３１ｂと後側端５３２ｂは、それぞれ左右方向に延びる同一直線上に並んで配置されている。なお、第１中間固定部５３１と第２中間固定部５３２の配置が異なる以外は、本実施形態のおむつ１と比較例のおむつ２とはほぼ同様の構成を有する。
【００５５】
おむつ２を展開状態からパンツ型状態にすると、防漏壁伸縮部材４１（伸縮部材）が前後方向（吸収性本体１０の長手方向）に沿って収縮する。そして、中間固定部５３が設けられている部分では、防漏壁部４０（非肌側部４３）と吸収性本体１０（肌側シート１２）とが接合されているため、防漏壁伸縮部材４１（伸縮部材）が収縮することにより、吸収性本体１０が着用者の肌側に引っ張られる。このとき、吸収性本体１０は、中間固定部５３の前後方向の端（例えば前側端５３１ｆ）にて前後方向に折れ曲がりやすい。中間固定部５３には接着剤が塗布されていることから、他の領域よりも剛性が高くなっており、該中間固定部５３の端縁において剛性差が大きくなるため、応力が集中して折れ曲がり起点が形成されやすくなるからである。
【００５６】
図５に示されるように、おむつ２では、この折れ曲がり起点となる前側端５３１ｆ及び前側端５３２ｆが前後方向において同じ位置に配置されている。したがって、前側端５３１ｆと前側端５３２ｆとを結んで左右方向に沿って延びる直線ｌ５３ｆを折れ曲がり起点（折れ曲がり誘導線）として、吸収性本体１０が折れ曲がりやすくなる。同様に、後側端５３１ｂ及び後側端５３２ｂが前後方向において同じ位置に配置されており、後側端５３１ｂと後側端５３２ｂとを結んで左右方向に沿って延びる直線ｌ５３ｂを折れ曲がり起点として、吸収性本体１０が折れ曲がりやすくなる。
【００５７】
その結果、吸収性本体１０のうち中間固定部５３が設けられた領域が、図６のように肌側に凸形状に変形して窪み部１０ｖが形成される。また、窪み部１０ｖが形成されることにより、その前方に出っ張り部１０ｈが形成される。吸収性本体１０に窪み部１０ｖ及び出っ張り部１０ｈのような凹凸が形成されると、おむつ２の着用時において、股間部における吸収性本体１０のフィット性が悪化する。また、窪み部１０ｖと出っ張り部１０ｈとが前後方向に隣接して形成されるため、股間部において吸収性本体１０（特に吸収性コア１１）が折り重なった状態となり、着用者に不快感を与えやすくなる。
【００５８】
これに対して、本実施形態のおむつ１では、図４に示されるように、前後方向において第１中間固定部５３１の前側端５３１ｆの位置と第２中間固定部５３２の前側端５３２ｆの位置とがずれている。そのため、第１中間固定部５３１及び第２中間固定部５３２の前側端において、比較例のような左右方向に沿って延びる折れ曲がり誘導線（図５の直線ｌ５３ｆ）が形成され難く、吸収性本体１０が肌側に凸変形することを抑制しやすい。これにより、おむつ１着用時において、股間部における吸収性本体１０のフィット性が悪化したり、着用者に不快感を与えたりすることを抑制することができる。
【００５９】
同様に、前後方向において第１中間固定部５３１の後側端５３１ｂの位置と第２中間固定部５３２の後側端５３２ｂの位置とがずれている。したがって、第１中間固定部５３１及び第２中間固定部５３２の後側端において、左右方向に沿って延びる折れ曲がり誘導線（図５の直線ｌ５３ｂ）が形成され難く、吸収性本体１０が肌側に凸変形することを抑制しやすい。これにより、おむつ１着用時において、股間部における吸収性本体１０のフィット性が悪化したり、着用者に不快感を与えたりすることを抑制することができる。
【００６０】
また、おむつ１では、前後方向における第１中間固定部５３１の前側端５３１ｆと後側端５３１ｂとの間の距離Ｌ５３１が、前後方向における第２中間固定部５３２の前側端５３２ｆと後側端５３２ｂとの間の距離Ｌ５３２と異なっている。すなわち、第１中間固定部５３１の前後方向における長さＬ５３１と、第２中間固定部の前後方向における長さＬ５３２とが異なっている。このように、左右に一対配置されている中間固定部５３１，５３２の長さが異なっている場合、前側端５３１ｆと前側端５３２ｆとを結んだ直線と、後側端５３１ｂと後側端５３２ｂとを結んだ直線とが、互いに平行にはならない。したがって、中間固定部５３の上端部と下端部とで、吸収性本体１０を折り曲げようとする力が異なる方向に作用しやすくなり、吸収性本体１０が肌側へ凸変形することが抑制される。これにより、図６のような窪み部１０ｖが形成され難くなり、フィット性の悪化を抑制しやすくなる。
【００６１】
また、図４に示されるように、前後方向において、第１中間固定部５３１の前側端５３１ｆと第２中間固定部５３２の前側端５３２ｆとの間の距離ｄ５３ｆは、第１中間固定部５３１の前後方向における長さＬ５３１及び第２中間固定部５３２の前後方向における長さＬ５３２よりも短い（ｄ５３ｆ＜Ｌ５３１，Ｌ５３２）。つまり、第１中間固定部５３１と第２中間固定部５３２とは、前後方向において重複する部分を有しつつ、前側端がｄ５３ｆだけずれるように配置されている。
【００６２】
上述したように、中間固定部５３が設けられている領域では、防漏壁部４０の起立可能高さが制限され、これによっておむつ１着用時のフィット性を調整することができる。仮に、第１中間固定部５３１と第２中間固定部５３２との前側端におけるずれ量ｄ５３ｆが、第１中間固定部５３１の長さＬ５３１（第２中間固定部５３２の長さＬ５３２）よりも長かった場合、第１中間固定部５３１と第２中間固定部５３２とは、前後方向において重複する部分を有さないことになる。この場合、防漏壁部４０の起立可能高さが制限される領域が左右で異なるようになり、おむつ１の着用時において、フィット性が大きく悪化したり、排泄物の横漏れが発生したりするおそれがある。
【００６３】
これに対して、本実施形態のおむつ１では、少なくとも第１中間固定部５３１と第２中間固定部５３２とが、前後方向において重複する部分を有している。これにより、防漏壁部４０の起立可能高さが左右で揃いやすくなり、おむつ１の着用時において、フィット性が大きく悪化したり、排泄物の横漏れが発生したりすることが抑制される。
【００６４】
同様に、前後方向において、第１中間固定部５３１の後側端５３１ｂと第２中間固定部５３２の後側端５３２ｂとの間の距離ｄ５３ｂは、第１中間固定部５３１の前後方向における長さＬ５３１及び第２中間固定部５３２の前後方向における長さＬ５３２よりも短い（ｄ５３ｂ＜Ｌ５３１，Ｌ５３２）。つまり、第１中間固定部５３１と第２中間固定部５３２とは、前後方向において重複する部分を有しつつ、後側端がｄ５３ｂだけずれるように配置されている。これにより、おむつ１の着用時において、フィット性が大きく悪化したり、排泄物の横漏れが発生したりすることが抑制される。
【００６５】
また、おむつ１では、前後方向において、第１中間固定部５３１の前側端５３１ｆ及び第２中間固定部５３２の前側端５３２ｆが、吸収性コア１１のくびれ部１１Ｃと重複している。つまり、中間固定部５３は、吸収性コア１１の左右方向の長さ（幅）が狭くなっている部分と前後方向において重複する部分を有している。上述したように、くびれ部１１Ｃを設けることによって、おむつ１着用時において着用者の股間部に吸収性コア１１をフィットしやすくすることができる。一方、くびれ部１１Ｃでは左右方向の幅が狭くなっているため、他の領域（例えば吸収性コア１１の前後端部）と比較して剛性が低く、吸収性コア１１が折れ曲がり変形を生じやすくなり、図６に示されるような窪み部１０ｖが形成されるおそれがある。
【００６６】
これに対して、本実施形態のおむつ１では、前後方向において第１中間固定部５３１の前側端５３１ｆと第２中間固定部５３２の前側端５３２ｆとの位置がずれているため、前側端５３１ｆ，５３２ｆにおいて吸収性本体１０の折れ曲がり起点が形成され難い。したがって、前側端５３１ｆ，５３２ｆの位置において吸収性コア１１の幅が狭くなり剛性が低くなっていたとしても、吸収性コア１１の局所的な折れ曲がり変形が抑制され、窪み部１０ｖは形成され難い。これにより、股間部における良好なフィット性を実現できる。
【００６７】
同様に、おむつ１では、前後方向において、第１中間固定部５３１の後側端５３１ｂ及び第２中間固定部５３２の後側端５３２ｂが、吸収性コア１１のくびれ部１１Ｃと重複している。したがって、後側端５３１ｂ，５３２ｂの位置において吸収性コア１１の幅が狭くなり剛性が低くなっていたとしても、吸収性コア１１の局所的な折れ曲がり変形が抑制され、窪み部１０ｖは形成され難い。
【００６８】
なお、吸収性コア１１は、くびれ部１１Ｃのうち最も左右方向の幅が狭くなった領域である最狭部１１Ｃｎを有している。そして、おむつ１の第１中間固定部５３１及び第２中間固定部５３２は、共に前後方向において最狭部１１Ｃｎと重複する位置に配置されている。最狭部１１Ｃｎでは、吸収性コア１１の剛性が最も低く、折れ曲がり変形を生じ易くなっているが、本実施形態では上述のように、第１中間固定部５３１と第２中間固定部５３２とが前後方向においてずれて配置されているため、局所的な折れ曲がり変形は生じ難い。したがって、吸収性コア１１を着用者の股間部に沿ってしっかりとフィットさせつつ、窪み部１０ｖのように肌側に凸変形することを抑制することができる。
【００６９】
また、第１中間固定部５３１及び第２中間固定部５３２は、防漏壁伸縮部材４１の少なくとも一部と厚さ方向において重複している。図３では、防漏壁部４０の非肌側部４３に設けられた防漏壁伸縮部材４１と厚さ方向に重複する位置に、第１中間固定部５３１及び第２中間固定部５３２が配置されている。したがって、防漏壁伸縮部材４１による伸縮力が中間固定部５３を介して吸収性本体１０に作用しやすくなり、該中間固定部５３が配置されている領域において、吸収性本体１０が着用者の肌側に引き上げられやすくなる。これにより、着用者の股間部において、吸収性本体１０のフィット性をより向上させることができる。
【００７０】
なお、前後方向において、第１中間固定部５３１の前側端５３１ｆ及び第２中間固定部５３２の前側端５３２ｆは、吸収性本体１０の中央よりも前側（腹側）に位置していることが望ましい。着用者の身体のうち腹側の領域は臀部側と比較して凹凸が小さいため、中間固定部５３によって防漏壁部４０の起立可能高さを制限することで、吸収性本体１０を着用者の肌（腹側）に平面的にフィットさせやすくすることができる。また、吸収性本体１０と着用者の排泄口との距離が近くなるため、尿等の排泄物を吸収させやすくすることができる。
【００７１】
さらに、前後方向において、第１中間固定部５３１の後側端５３１ｂ及び第２中間固定部５３２の後側端５３２ｂも、吸収性本体１０の中央よりも前側（腹側）に位置していることが望ましい。このような構成であれば、中間固定部５３の全体が前後方向の前側の領域に配置されることとなり、着用者の腹側において、吸収性本体１０を着用者の肌（腹側）によりフィットさせやすくすることができる。また、尿等の排泄物をより吸収させやすくすることができる。
【００７２】
また、中間固定部５３は、左右方向において、防漏壁部４０の外側端（図３における折り曲げ位置ｆ３）から所定の距離ｇ53ｏだけ離れた位置に配置されている。言い換えると、左右方向において中間固定部５３と防漏壁部４０の外側端との間には所定の隙間（ｇ53ｏ）が設けられている。このような隙間が設けられていることにより、防漏壁部４０の左右方向外側端（エッジ）の硬さが軽減され、おむつ１着用時において着用者の身体（鼠径部）への肌当たりが柔らかくなる。したがって、より良好なフィット性を実現することができる。
【００７３】
また、中間固定部５３は、左右方向において、防漏壁部４０の内側端（図３における折り曲げ位置ｆ２）から所定の距離ｇ53ｉだけ離れた位置に配置されている。言い換えると、左右方向において、中間固定部５３と防漏壁部４０の内側端との間には隙間（ｇ53ｉ）が設けられている。これにより、中間固定部５３の全領域が防漏壁部４０（非肌側部４３）によって肌側から覆われ、中間固定部５３を形成する接着剤が外部に露出し難くなる。したがって、おむつ１の着用時において、露出した接着剤が着用者の身体や衣服に付着してしまうことを抑制することができる。
【００７４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７５】
上記の実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であってもよい。
【００７６】
上記の実施形態では、シート部材１４を折り曲げることによって防漏壁部４０が形成されていた。すなわち、防漏壁部４０がシート部材１４と一体的に形成されていたが、この限りではない。例えば、シート部材１４とは異なる別体のシート部材によって防漏壁部４０が形成されるのであってもよい。
【符号の説明】
【００７７】
１  おむつ（吸収性物品）、
２  おむつ（比較例）、
１０  吸収性本体、１１  吸収性コア、１１Ｃ  くびれ部、１１Ｃｎ  最狭部、
１０ｈ  出っ張り部、１０ｖ  窪み部、
１２  肌側シート、１３  非肌側シート、
１４  シート部材、１５  コアラップシート、
２０  腹側胴回り部、２１  内層シート、２２  外層シート、
２３  胴回り弾性部材、
３０  背側胴回り部、３１  内層シート、３２  外層シート、
３３  胴回り弾性部材、
３５  延出部弾性部材、３５１  傾斜部、３５２  直線部、
４０  防漏壁部、
４１  防漏壁伸縮部材（伸縮部材）、４２  肌側部、４３  非肌側部、
５１  前側固定部、５２  後側固定部、
５３  中間固定部、
５３１  第１中間固定部、５３１ｆ  前側端、５３１ｂ  後側端、
５３２  第２中間固定部、５３２ｆ  前側端、５３２ｂ  後側端、
ＢＨ  胴回り開口部、ＬＨ  脚回り開口部
【図１】
2020000655.tif 000003
【図２】
2020000655.tif 000004
【図３】
2020000655.tif 000005
【図４】
2020000655.tif 000006
【図５】
2020000655.tif 000007
【図６】
2020000655.tif 000008